Podtech/llm-jp-corpus-v4-ja_patent huggingface dataset:
(57)【要約】      （修正有）【課題】風車に取り付けた発電機と発光ダイオードにより、風が吹くと発光ダイオードが点灯又は点滅する鯉のぼり用の風車を提供する。。【解決手段】鯉のぼりの風車の羽根１に数個の永久磁石２を取り付け、風車の支柱部分に発電機と発光ダイオード７を内蔵したケース８を取り付ける。風車の羽根に隣接したケースの内側に発電機のコイル３を置きコイルの線の両端を発光ダイオードに接続する。これにより風が吹くと風車の羽根に取り付けた永久磁石が回転径路に沿って移動しコイルに電磁誘導による起電力が生じる。その電気で発光ダイオードが点灯する。なお、強風時の過電圧に備えて途中にリミッター６と整流器５を置く。【選択図】図２
0003169476.tif 000002
【実用新案登録請求の範囲】
【請求項１】
鯉のぼりの風車の羽根に永久磁石を取り付け、風車の支柱部分に発電機のコイルを取り付ける。風車が風によって回転すると風車の羽根に取り付けた永久磁石も羽根と共に回転する。コイルは永久磁石の回転径路に隣接しているので、このとき電磁誘導による起電力が生じる。その電気により発光ダイオード等を点灯等させる。このように、非接触型の発電機を有することを特徴とする鯉のぼりの風車。
【請求項２】
発電機は非接触型を使用することで風車から発電機まで回転を伝える機械部分の部品数を減らしている事。又、同機械部分が老朽化した場合に発生し得るであろう故障を回避している事を特徴とする風車。
【考案の詳細な説明】
【技術分野】
【０００１】
本考案は、発電機と発光ダイオードを設けた鯉のぼりの風車に関するものである。
【背景技術】
【０００２】
鯉のぼりの風車は風が吹くと回転するだけのものである。
【先行技術文献】
【特許文献】
【０００３】
【特許文献１】特許公開２００７−２８９３５２
【考案の概要】
【考案が解決しようとする課題】
【０００４】
従来の鯉のぼりの風車においては風と電気の繋がりは薄く、発電方法について触れたものは少ない。
【課題を解決するための手段】
【０００５】
本考案は風により風車が回転することを利用して電気を発生させる。電気の発生に際しては風車が軽やかに回ることをあまり妨げない非接触型の発電機を使用する。その電気により発光ダイオードを点灯又は点滅させる。従来の鯉のぼりの風車に発電と発光が加わることで風と電気の繋がりが生じる。
【考案の効果】
【０００６】
風車に取り付けた発電機と発光ダイオードにより、風が吹くと発光ダイオードが点灯又は点滅する。従来の風車に発電と光が加わり鯉のぼりの楽しさを増加させる。また、この単純な構造により子供たちが容易に風力発電の仕組みを理解しうることが期待できる。
【図面の簡単な説明】
【０００７】
【図１】図１は上面・正面・側面の外観図である。
【図２】図２は正面の外観図と側面の断面図である。
【図３】図３は発電機と発光ダイオード等の回路図である。
【考案を実施するための形態】
【０００８】
鯉のぼりの風車の羽根に永久磁石を取り付け、風車の支柱部分に発電機のコイルを取り付ける。風車が風によって回転すると風車の羽根に取り付けた永久磁石も羽根と共に回転する。コイルは永久磁石の回転径路に隣接しているので、このとき電磁誘導による起電力が生じる。その電気により発光ダイオードを点灯させる。
なお、強風による過電圧の対策として発電機のコイルと発光ダイオードの間に電圧のリミッターを設けて発光ダイオードを保護する。そのために、リミッターの前に整流回路を設ける。又、発電機のコイル・整流器・リミッターと発光ダイオードは風雨等からの損壊を防ぐためケースの中に収める。
【実施例】
【０００９】
以下、添付図面に従って一実施例を説明する。１は鯉のぼりの風車の羽根、２は風車の羽根に取り付けた永久磁石である。３は電気を発生させるためのコイルでコイルの内側に鉄芯４を有する。鉄芯を有することで起電力の増加を図る。永久磁石２が移動する事でコイル３に電磁誘導による起電力が生じる。コイル３は永久磁石２の回転径路に出来るだけ近づけて設置し起電力の増加を図る。
５は整流回路であり、６の過電圧防止用リミッターを異常なく動作させるために設ける。６は強風による過電圧発生時に備えた発光ダイオードを保護するためのリミッターであり、一定の電圧を超えないようにする。７は発光ダイオードである。コイル３で発生した電気は整流回路５・過電圧防止用リミッター６を通り発光ダイオード７を点灯する。
８は耐久性のプラスチックス等適宜素材にて一体化形成されたケースであり、発電機用コイル３・発電機用鉄芯４・整流回路５・過電圧防止用リミッター６・発光ダイオード７を収納する。ケース８は風雨塵埃の侵入を防ぎ内容物を保護する。又、適宜通風孔を設けて熱を放出する。
【符号の説明】
【００１０】
１    鯉のぼりの風車の羽根
２    永久磁石
３    発電機用コイル
４    発電機用鉄芯
５    整流回路
６    過電圧防止用リミッター
７    発光ダイオード
８    ケース
【図１】
0003169476.tif 000003
【図２】
0003169476.tif 000004
【図３】
0003169476.tif 000005
【手続補正書】
【提出日】平成23年5月29日(2011.5.29)
【手続補正１】
【補正対象書類名】実用新案登録請求の範囲
【補正対象項目名】全文
【補正方法】変更
【補正の内容】
【実用新案登録請求の範囲】
【請求項１】
鯉のぼりの風車において、
（１）風車の羽根に永久磁石を取り付け風車の支柱部分に発電機のコイルを取り付ける、
（２）風車が風によって回転すると風車の羽根に取り付けた永久磁石も羽根と共に回転する、
（３）コイルは永久磁石の回転径路に隣接しているのでこのとき電磁誘導による起電力が生じる、
（４）その電気により発光ダイオード等を点灯等させる、
以上の構成からなる非接触型の発電機を有することを特徴とする鯉のぼりの風車。
(57)【要約】      （修正有）【課題】ゴム輪を台の上に載せ、腰を曲げないでゴム輪を掴み取り、競技することができるワナゲ用ゴム輪台を提供する。【解決手段】鋼材パイプを長方形に加工した２個の枠を、中間支点でＸ状に開閉出来るように鋲留めして脚にする。また、袋状にした生地半分に板を入れ、輪を造り、輪の内側に脚の上方の一方に取り付け、もう一方の脚上方は、輪の中を自由に動けるようにし、脚がＸ状に開いたとき、板の入っている輪が台座になるようにして輪投げ用ゴム輪台を構成する。【選択図】図１
0003169474.tif 000002
【実用新案登録請求の範囲】
【請求項１】
鋼材を長方形に加工した枠、大、小、を、上部と下部を平らに組み合わせて、やや上部のところを支点に組み込んで、開閉できる脚を造り、輪になるように作った腹巻に札束を差し込んだような形状で、札束ではなく板を入れて、生地で輪を造り、輪の中に脚の上部２本を差込み、輪の中で脚の上部が自由に動き、脚がＸ状に開いたとき、輪が台座になる、ワナゲ用ゴム輪台。
【考案の詳細な説明】
【技術分野】
【０００１】本考案は、ワナゲ競技の際、９本のゴム輪を床に置き、投げる都度、床から拾い揚げ、ゴム輪を投げ競技していましたが、都度ゴム輪を拾い上げるのに苦痛を感じるようになりました。ゴム輪を台の上に載せて、腰を曲げなくとも、ゴム輪を掴み取れるようにした考案です。
【背景技術】
【０００２】従来から、床に置いたゴム輪を、都度、腰を曲げてゴム輪を拾い揚げていました。本考案は、ゴム輪を台の上に載せ、腰を曲げないでゴム輪を掴み取り、競技するようにしたものです。
【考案の開示】
【考案の解決しようとする課題】
【０００３】ワナゲ競技が全国大会までに発展し、競技熱が高まり、個人で道具を揃え、練習時間も大幅に拡大し、ゴム輪を都度、床から拾い上げるのを苦痛に感じ、ゴム輪台の要望が高まり、これを解決しようとする考案です。
【課題を解決しようとする課題】
【０００４】ゴム輪台は折り畳めるようにし、、台の脚上部のゴム輪を載せる台の部分も、布状の物を輪に仕上げ、脚部を広げたり、畳んだ際も輪の中で、脚が自由に動き、台のセットも簡単に出来るようにしました。
【考案の効果】
【０００５】腰を曲げなくとも、競技ゃ練習も多く続けられますから、練習も楽しく励むことが出来る様になりました。
【０００６】全国大会までワナゲ競技が発展しましたので、練習量も増え、愛好者から大変喜ばれています。
【図面の簡単な説明】
【０００７】
【図１】鋼材を長方形に加工した枠１、大、小、を上部と下部と平らに組み合わせて、やや上部のところを支点にしたＸ状の脚を造り、輪になるように作った腹巻に札束を差し込んだような形状で、札束ではなく板を入れて、生地で輪２を造り、輪の中に脚の上部２本を差込み、輪の中で脚の上部が自由に動き、脚がＸ状に開いたとき、輪が台座２になる、ワナゲ用ゴム輪台。
【図１】
0003169474.tif 000003
【手続補正書】
【提出日】平成23年5月16日(2011.5.16)
【手続補正１】
【補正対象書類名】実用新案登録請求の範囲
【補正対象項目名】全文
【補正方法】変更
【補正の内容】
【実用新案登録請求の範囲】
【請求項１】
鋼材パイプを長方形に加工した２個の枠を、中間支点でＸ状に開閉出来るように鋲留めした脚にし、袋状にした生地半分に板を入れ、輪を造り、輪の内側に脚の上方の一方に取り付け、もう一方の脚上方は、輪の中を自由に動けるようにし、脚がＸ状に開いたとき、板の入っている輪が台座になる、輪投げ用ゴム輪台、
(57)【要約】      （修正有）【課題】排水口より進入する虫や悪臭を防ぐべく、排水時の水圧により開閉可能な弁を設けた防虫・防臭装置を提供する。【解決手段】排水口の目皿の下に装着される防虫防臭装置において、上部につばを備えた筒状の本体の底部に、復元力を有する素材で円盤状の弁の中心点より８ｍｍ位から外周に向けて切り込み９をいれ、水圧により開閉可能にした弁４を交換可能に取り付け、前記筒状の本体の底を塞ぐ事によって、排水口より進入する虫や悪臭を防ぐ事ができるようにして排水口の防虫防臭装置とする。【選択図】図１
0003169472.tif 000002
【実用新案登録請求の範囲】
【請求項１】
排水口の目皿の下に装着される防虫防臭装置において、上部につばを備えた筒状の本体の底部に復元力を有する素材で作られ、水圧により開閉可能に切り込みを入れた弁を交換可能に取り付け、前記筒状の本体の底を塞ぐ事によって排水口より進入する虫や悪臭を防ぐことを特徴とする排水口の防虫防臭装置。
【考案の詳細な説明】
【技術分野】
【０００１】  本考案は浴室等の排水口から侵入する防虫、防臭装置に関する。
【背景技術】
【０００２】  従来の浴室等の排水口からの防虫  防臭装置は、Ｓ字形排水管或いは排水口に嵌め置かれる複数の穿孔を備えた隔離フレームを備えた環体のベースに略デスク形ゴム幕片が完全に結合し機密な状態を形成する防虫防臭排水口シール等が有りますが、複雑な構造で後付け、管理等が難しい。
【先行技術文献】
【０００３】
【特許文献】
【特許文献】  実用新案登録  ３１１２３２６号
【考案の概要】
【考案が解決しようとする課題】
【０００４】  先行技術物件は多数有るようですが、防虫防臭機能具備の排水口シール装置等は部品の数も多く構造が複雑で高価な物に思われる。体毛等の処理も心配である。
又、Ｓ字形配水管は性能の良いことは評価できるが後管理が難しい。
排水口地下部に存在する気味の悪い虫の侵入が防がれ、又、浴室の換気扇を回した時に排水口から吸引されてくる悪臭も止められる物で、更に安価で簡単な装置を追求。
一般家庭で簡単に取り扱いの出来る物があれば理想と思われる。
【課題を解決するための手段】
【０００５】  本考案は排水口の目皿の下に装着する防虫防臭装置で、上部につばを備えた筒状の本体の低部に復元力を有する素材で作られ、排水の水圧により開閉可能に切込みを入れた円形の弁を交換可能に取り付け、筒本体の底を塞ぐ事によって排水口より進入する虫や悪臭を防ぐ特徴を有する一般家庭で簡単に取り扱い出来ろ排水口防虫防臭装置。である。
【考案の効果】
【０００６】  本考案は簡単な構造で、排水時は水の重さで弁が下に押し開かれ矢印図４の１０ように排水し、水が無くなれば弁図４の４の復元力で元に戻り図３の４ように、筒状の本体図４の２の底が閉じられることで虫の侵入も防げるし、換気扇による悪臭の逆流も無くなる。又後付けや体毛等処理などの管理や手入れも目皿の下から取り出して簡単に出来る。
【考案を実施するための形態】
【０００７】  本考案の防虫防臭装置は、排水口に付いている目皿図３の１の下に入る上部につばの付いた筒図１の２のに底に水の重みで開く弁図１の４を付ける。
水が止まれば弁の素材の復元力で排水口が閉じ、虫の侵入や悪臭の逆流を止められる装置である。弁の交換もボルト図１の８、ナット図１の５の操作で出来る。
目皿図３の１の下に入れる筒本体図１の２は、水の重みで弁図４の４が開く位置として高さ５ｃｍ位必要。
筒図１の２上部のつばの直径は、排水口の目皿図３の１の直径と同じにし、筒図１の２は排水口径より少し細くする。これは排水口からの出し入れが楽に出来るようにするためである。
筒本体図１の２の底部には、弁図１の４を取り付けるための１ｃｍ角位で厚さ２ｍｍ位の板の中心へ太さ３ｍｍのボルトをつけて皿付きボルト図１の８とし筒底部の中心になる様固定するため細く丈夫な線図１の７で皿付ボルト図１の８の皿角部分を、ボルトが下向きになるように筒本体図１の２底部へ四方に張る。
これが本体で、プラスチックの一体成型となる。
弁図１の４の材質は、たわむ物で復元力があり耐久性のある物で、厚さ０．２５ｍｍ位の硬質プラスチック板、又は厚さ０．１ｍｍ位の鉄鋼板を使用し円板状にする。
円板図１の４の直径は筒本体図１の２の下部直径に２ｍｍ位加えた円板とし、中心に本体のボルト図１の８が入る穴を作る。円板に中心より８ｍｍ位から外周に向け、レーザー光線等で８本位の切れ目図１の９をいれる。
切れ目図１の９は八枚位の弁が各々動けるようにしなければならないが、出来るだけ狭い切れ目にする事が考案目的にたっする。この弁図１の４が本考案一番の重要部品となり弁図１の４を本体下部のボルト図１の８へ付けナット図１の５で止めて出来上がりとなる。弁の交換が必要になった時はナット図１の５を取って弁図１の４の取替えが簡単にできる。
【図面の簡単な説明】
【０００８】
【図１】本体の分解図。
【図２】本体の断面図。
【図３】排水口へ設置した断面図。
【図４】排水時に弁４が下に開いて排水している様子。
【符号の説明】
【０００９】  １    排水口に付いている目皿
２    防虫防臭装置本体
３    床断面
４    排水弁
５    排水弁４を止めるナット
６    排水口
７    皿つきボルト８を固定する線
８    排水弁４を止める皿付きボルト
９    排水弁４の切れ目
１０  排水の流れる様子を示す矢印
【図１】
0003169472.tif 000003
【図２】
0003169472.tif 000004
【図３】
0003169472.tif 000005
【図４】
0003169472.tif 000006
【手続補正書】
【提出日】平成23年4月27日(2011.4.27)
【手続補正１】
【補正対象書類名】実用新案登録請求の範囲
【補正対象項目名】全文
【補正方法】変更
【補正の内容】
【実用新案登録請求の範囲】
【請求項１】
排水口の目皿の下に装着される防虫防臭装置において、上部につばを備えた筒状の本体の底部に、復元力を有する素材で円盤状の弁の中心点より８ｍｍ位から外周に向けて切り込みをいれ、水圧により開閉可能にした弁を交換可能に取り付け、前記筒状の本体の底を塞ぐ事によって、排水口より進入する虫や悪臭を防ぐ事を特徴とする排水口の防虫防臭装置。
(57)【要約】      （修正有）【課題】濡れた折り畳み傘の挿入を極めて容易にし、傘に付着した雨滴を確実に吸収し、携行中に雨滴が漏れ出ることを防ぎ、携帯に簡便な傘袋を提供する。【解決手段】内面に撥水加工を施し、長さ方向に沿って設けられた開口部４を密封性に優れたスライドファスナー５を介して開閉自在とした合成樹脂繊維製の袋本体２の内面に、高度の吸水性を有するマイクロファイバークロスを貼着し、更に袋本体２の外面の一部に、引っ掛け用のベルト７を設けた構成である。【選択図】図１
0003169407.tif 000002
【実用新案登録請求の範囲】
【請求項１】
内面に撥水加工を施し、長さ方向に沿って設けられた開口部（４）を密封性に優れたスライドファスナー（５）を介して開閉自在とした合成樹脂繊維製の袋本体（２）の内面に、高度の吸水性を有するマイクロファイバークロス（６）を貼着し、更に前記袋本体（２）の外面の一部に、引っ掛け用のベルト（７）を設けたことを特徴とする傘袋。
【考案の詳細な説明】
【技術分野】
【０００１】
本考案は、主として折り畳み式の傘を収納する袋に関するものである。
【背景技術】
【０００２】
濡れた傘は、店舗の屋内や乗り物の車内等では、その水滴が衣服に付着したり、床を濡らして滑り易くなったり等の点で始末に困るものである。また、雨後に持ち歩く場合にも同様の問題がある。入口に傘立てが設置されているが、収納しにくく、帰りに忘れてしまったり、盗難の虞もある。店舗によっては、ビニール袋を備え付けてある場合もあるが、破れ易くて完全とは言えず、店舗内ならば兎も角、車内や外出先では決して体裁の良いものではない。
【０００３】
非使用時には、傘の付属品のカバーに収納して被せれば良いのであるが、このカバーは傘の布と同一繊維であり、濡れたまま被せると水滴が染み出てきてしまったり、生乾きのまま収納することになるので蒸れて異臭を発する等の不都合も存する。そこでこの観点から、例えば以下の如き提案がある。
【先行技術文献】
【特許文献】
【０００４】
【特許文献１】特開平６−１９７８０６号公報
【特許文献２】特開２００９−１１６９２号公報
【考案の概要】
【考案が解決しようとする課題】
【０００５】
この特許文献１の発明「傘入れ」は、上端が開放され、下端が閉塞された細長円錐台形状の本体の内部に同形状の水分吸収体を装着した構成であるが、上端が開放されているために雨滴が漏れ出る虞があり、キャップを装着する手段も示されているが、単なる嵌め込みであるために漏れ出る虞れは解消されず、しかも嵩張るものになる。そして上端が開放されているので、通常の長い傘であれば挿入し易いが、濡れた折り畳み傘を折り曲げた状態で差し込もうとすると引っ掛かり易い問題も指摘できる。更には、嵩張るために小さく折り畳めず、不使用時の携帯に不都合があろう。
【０００６】
また、特許文献２の発明「折りたたみ傘用収納具」は、一部に開閉自在なファスナーを設けた円筒形状の外装部内に、上端が開口可能となった吸水シート製の内装部を挿入した二重壁構造であり、嵩張るばかりでなく、折り曲げられた濡れた折り畳み傘の挿入が難しい問題がある。
【０００７】
よって本考案は、上述した従来技術の欠点、不都合、不満を解消するべく開発された傘袋であって、濡れた折り畳み傘の挿入を極めて容易にし、傘に付着した雨滴を確実に吸収し、携行中に雨滴が漏れ出ることを防ぎ、携帯に簡便なようにすることを目的とする。
【課題を解決するための手段】
【０００８】
上記課題を解決するため、本考案の傘袋は、内面に撥水加工を施し、長さ方向に沿って設けられた開口部を密封性に優れたスライドファスナーを介して開閉自在とした合成樹脂繊維製の袋本体の内面に、高度の吸水性を有するマイクロファイバークロスを貼着し、更に前記した袋本体の外面の一部に、引っ掛け用のベルトを設けたことを特徴とする。
【考案の効果】
【０００９】
上記した本考案の傘袋によれば、開口部が長さ方向に沿って設けられているので、折り畳まれて嵩張る傘を簡単に挿入収納することができて極めて取り扱い易い。そして、開口部は密封性に優れたスライドファスナーで閉じられ、且つ内面に撥水加工が施されているので、収納した傘の水滴が外部に漏れ出ることもない。
【００１０】
また、内面には高度の吸水性を有するマイクロファイバークロスが貼着されているので、水滴はこのマイクロファイバークロスに確実に吸収され、再度傘を使用するためにスライドファスナーを開いて傘を取り出すような場合にも開口部から水分が漏れ出るようなことはなく、しかも傘は適度に乾燥した状態になっているため、再使用に際して手や衣服が濡れるといった不快なことを避けることができる。
【００１１】
袋本体の外面の一部には引っ掛け用のベルトが設けられているので、傘を収納した袋体を、例えばカバンの取っ手部分に引っ掛ける等して携帯し易くなっている。
【００１２】
更には、袋本体は合成樹脂繊維製であり、内面に貼着されたマイクロファイバークロスも布製であるので可撓性があり、不使用時には小さく折り畳んで携行することも可能である等、本考案は多くの優れた作用効果を奏する。
【図面の簡単な説明】
【００１３】
【図１】本考案にかかる傘袋の一例を示す斜視図である。
【図２】一部の拡大断面図である。
【考案を実施するための形態】
【００１４】
本考案の傘袋１にあって、合成樹脂繊維製の袋本体２は、内面に撥水加工としてのコーティング３が施され、長さ方向に沿って設けられた開口部４を密封性に優れたスライドファスナー５を介して開閉自在とした構成であり、この袋本体２の内面に、高度の吸水性を有するマイクロファイバークロス６を貼着し、更に前記した袋本体２の外面の一部に、引っ掛け用のベルト７を設けた構成である。
【実施例】
【００１５】
袋本体２はポリエステル等の合成樹脂繊維で、内面に施されるコーティング３層は塩化ビニールで形成されるものであり、撥水性、耐久性に優れ、濡れた傘を内部に収納した際、その水分が袋本体２の外部に染み出ないようになっている。同様に、長さ方向に沿って設けられた開口部４も密封性に優れたスライドファスナー５により閉塞されるので、水分が染み出ることはない。
【００１６】
袋本体２の内面に貼着されるマイクロファイバークロス６は周知のように高度の吸水性、保水性を有しているので、内部に収納された濡れた傘の水分を確実に吸収し、傘を乾燥させることができる。
【００１７】
また、袋本体２の外面の背面側には引っ掛け用のベルト７が装着されており、このベルト７の内面中央部と袋本体２外面との間に面ファスナー８を設けておけば、例えば傘を収納した袋本体２のこのベルト７をカバンの取っ手部分に掛けると共に、中央でこの面ファスナー８を相互に接合し、固定することも可能である。
【符号の説明】
【００１８】
１  傘袋
２  袋本体
３  コーティング
４  開口部
５  スライドファスナー
６  マイクロファイバークロス
７  ベルト
８  面ファスナー
【図１】
0003169407.tif 000003
【図２】
0003169407.tif 000004
(57)【要約】      （修正有）【課題】抗菌剤を用いることなく抗菌性のある洗浄用具を提供する。【解決手段】穴２を設けた天然ゴムで形成されたスポンジ体１からなる。また、穴を設けた天然ゴムで形成されたスポンジ体と、このスポンジ体を包み込んだ外被ネットとを備える。スポンジ体は天然ゴムを使用しているので抗菌性があり、抗菌剤を用いることなく抗菌性のある洗浄用具を提供できる。また、外被ネットでスポンジ体を包み込んだ場合には、外被ネットはスポンジ体の補強になるだけでなく汚れをより効果的に除去できる。【選択図】図１
0003169488.tif 000002
【実用新案登録請求の範囲】
【請求項１】
穴を設けた天然ゴムで形成されたスポンジ体からなることを特徴とする洗浄用具。
【請求項２】
穴を設けた天然ゴムで形成されたスポンジ体と、前記スポンジ体を包み込んだ外被ネットとを備えたことを特徴とする洗浄用具。
【考案の詳細な説明】
【技術分野】  本考案は、スポンジ体からなる洗浄用具に関する。
【背景技術】  スポンジ体からなる洗浄用具としては、食器洗い具、風呂や自動車の洗浄用具などがある。例えば、食器を洗う食器洗い具は、軟質ウレタンなどのスポンジ体に凹凸形状を施したものや、スポンジ体を外被ネットで包み込んで形成されたものがある。このような洗浄用具は、使用期間が長くなるとスポンジ体内で雑菌が繁殖してしまうことがある。
そこで、スポンジ本体中に抗菌剤を含有させたり（例えば、特許文献１参照）、孔を設けたスポンジ板の両面に別のスポンジ等を貼り合わせ、孔による内部空洞に抗菌性を有するトルマリンの粒粉を充填するようにしたものがある（例えば、特許文献２参照）。
【先行技術文献】
【特許文献】
【特許文献１】  特開平１１−５６７４１号公報
【特許文献２】  特開２００５−２５４７８８号公報
【考案の概要】
【考案が解決しようとする課題】  しかし、特許文献１のものでは、抗菌剤を含む液剤中に軟質ウレタンフォームを浸漬して抗菌剤をスポンジ体に含浸させる必要があり、また、特許文献２のものでは、孔を設けたスポンジ板の内部空洞にトルマリンの粒粉を充填し、スポンジ板の両面に別のスポンジを貼り合わせなければならない。
本考案は、抗菌剤を用いることなく抗菌性のある洗浄用具を提供することである。
【課題を解決するための手段】  請求項１の考案に係る洗浄用具は、穴を設けた天然ゴムで形成されたスポンジ体からなることを特徴とする。
請求項２の考案に係る洗浄用具は、穴を設けた天然ゴムで形成されたスポンジ体と、前記スポンジ体を包み込んだ外被ネットとを備えたことを特徴とする。
【考案の効果】  本考案によれば、スポンジ体は天然ゴムを使用しているので抗菌性があり、抗菌剤を用いることなく抗菌性のある洗浄用具を提供できる。
また、外被ネットでスポンジ体を包み込んだ場合には、外被ネットはスポンジ体の補強になるだけでなく汚れをより効果的に除去できる。
【図面の簡単な説明】
【図１】  本考案の実施形態１に係る洗浄用具の外観斜視図。
【図２】  本考案の実施形態２に係る洗浄用具の外観斜視図。
【考案を実施するための形態】
以下、本考案の実施形態を説明する。図１は本考案の実施形態１に係る洗浄用具の外観斜視図である。図１に示すように、スポンジ体１に複数個の穴２が設けられている。スポンジ体１は天然ゴムで形成される。例えば、ラテックスフォームで形成される。ラテックスフォームは抗菌性を有し、例えば、一般性細菌の大腸菌、黄色ブドウ球菌、ＭＲＳＡ（Ｍｅｔｈｉｃｉｌｌｉｎ−ｒｅｓｉｓｔａｎｔ  Ｓｔａｐｈｙｌｏｃｏｃｃｕｓ  ａｕｒｅｕｓ）、緑膿菌、肺炎桿菌などの菌を２４時間以内に天然殺菌する。従って、抗菌剤を添加することなく抗菌性を有するものである。
ここで、スポンジ体１に複数個の穴２を設けているのは、スポンジ体１を乾燥し易くするためである。例えば、洗浄用具である食器洗い具は水で食器を洗い、風呂の洗浄用具は水で風呂桶や風呂タイルを洗浄し、自動車の洗浄用具も水で自動車を洗浄する。従って、洗浄用具のスポンジ体１は水分を含むことになるので、その使用後に早期に乾燥させるためである。
図２は本考案の実施形態２に係る洗浄用具の外観斜視図である。この実施形態２は、図１に示したスポンジ体１を外被ネット３で包み込んだものである。
外被ネット３は、例えば、ポリエステルやナイロン（登録商標）などで網目状に形成されスポンジ体を包み込んている。これにより、外被ネット３はスポンジ体の補強になるだけでなく、汚れをより効果的に除去できる。また、スポンジ体１は天然ゴムのラテックスフォームで形成されているので、外被ネット３とスポンジ体１との間に付着した菌に対しても天然殺菌をする。
【符号の説明】１…スポンジ体、２…穴、３…外被ネット
【図１】
0003169488.tif 000003
【図２】
0003169488.tif 000004
(57)【要約】      （修正有）【課題】被結束体の厚みに自在に対応し結束余部をコンパクトにした結束構造具を提供する。【解決手段】弾性を有する帯状体で、その長さ方向の両端からその帯状体中心部に向かう左巻と右巻の渦巻形状を有し、両端の渦巻形状部の張り出しと同一面状の一部を渦巻形状部の張り出しと平行に引き、湾曲形状を形成し、渦巻形状部より内側であり、湾曲形状部の両端で渦巻形状部の張り出しの無い面上の一部を合わせ閉じた部分に、可動留め具２を設ける。これにより、非結束体結帯部が形成され、可動留め具２を動かすことにより帯状体の長さを調整すると同時に、帯状体余部を渦巻状に巻き込むことを特徴として結束構造具１を形成する。【選択図】図１
0003169483.tif 000002
【実用新案登録請求の範囲】
【請求項１】
弾性を有する帯状体で両端を左巻と右巻の渦巻状に成型し、渦巻状部と同一線上に輪状部を設け、留め具を具備し、その留め具を動かすことによりバンド部の長さを調整すると同時に、余りのバンド部を渦巻状に巻き込むことを特徴とする結束構造具。
【考案の詳細な説明】
【技術分野】
【０００１】
本考案は、非結束体を束ねたり、袋状物などを締める結束構造具に関するものである。
【背景技術】
【０００２】
着脱可能な結束具としては、バンド部分が弾性を有し螺旋の復元力を利用する樹脂成型品やバンド部分が弾性を有し留め具を具備する樹脂成型品やバンドホールに先端を差し込み結束を保持する樹脂成型品や蛇腹状のバンドにより伸縮可能な樹脂成型品や外力を加えると自力で巻きつく性質を有する成型品などがある。
【先行技術文献】
【特許文献】
【０００３】
【特許文献１】特開２００７−１５７６０号公報
【特許文献２】特開平９−６６９６０号公報
【特許文献３】特開平９−３２８１２号公報
【特許文献４】実開平７−３５０４号公報
【考案の概要】
【考案が解決しようとする課題】
【０００４】
バンド部分が弾性を有し螺旋の復元力を利用したり、留め具を具備またはバンドホールに先端を差し込み結束を保持するものや蛇腹状のバンドにより伸縮可能なものや外力を加えると自力で巻きつく性質を有する成型品などがあるが、従来品より非結束体の厚みに自在に対応し、結束余部をコンパクトにする。
【課題を解決するための手段】
【０００５】
本考案は、弾性を有する帯状体で両端を左巻と右巻の渦巻状に成型し、渦巻状部と同一線上に輪状部を設け留め具を具備し、その留め具を動かすことによりバンド部の長さを調整することを特徴とする。
【考案の効果】
【０００６】
本考案の結束構造具は、両端が弾性体による渦巻状に戻る力を利用するため、余ったバンド部がコンパクトに収まるという利点がある。
【図面の簡単な説明】
【０００７】
【図１】図１は全体斜視正面図である。（実施例１）
【図２】図２はバンド部を縮めた場合の全体斜視横図である。（実施例１）
【図３】図３はバンド部を伸ばした場合の全体斜視横図である。（実施例２）
【図４】図４は巾着袋に具備した場合の全体図である。（実施例３）
【考案を実施するための形態】
【０００８】
弾性を有する帯状体で両端を左巻と右巻の渦巻状に成型し、渦巻状部と同一線上に輪状部を設け留め具を具備し、その留め具を動かすことによりバンド部の長さを調整し、バンド余部を渦巻状に巻き込むことでコンパクトにするという目的を実現した。
【実施例１】
【０００９】
図１は、本考案の全体斜視正面図であり、図２は、輪状部を狭めるように留め具を動かしバンド部を縮めた場合の全体斜視横図である。この時、渦巻状部は弾性による巻き込みのため大きくなる。
【実施例２】
【００１０】
図３は、輪状部を広げるように留め具を動かしバンド部を伸ばした場合の全体斜視横図である。この時、渦巻状部は小さくなる。
【実施例３】
【００１１】
図４は、巾着袋に具備した場合であり、留め具を動かすことによりバンド部を伸ばしたり縮めたりし、袋の開閉を行う。
【産業上の利用可能性】
【００１２】
非結束体を結束するだけでなく袋状物を締めることのほか、シャワーキャップなどでゴムでは取り扱いに不便を生じる場合等や渦巻き部に飾りを差し込んだり、結束構造具を棒状に成型しリボンに貼付し利用できる。
【符号の説明】
【００１３】
１    結束構造具
２    留め具
３    巾着袋
【図１】
0003169483.tif 000003
【図２】
0003169483.tif 000004
【図３】
0003169483.tif 000005
【図４】
0003169483.tif 000006
【手続補正書】
【提出日】平成23年5月27日(2011.5.27)
【手続補正１】
【補正対象書類名】実用新案登録請求の範囲
【補正対象項目名】全文
【補正方法】変更
【補正の内容】
【実用新案登録請求の範囲】
【請求項１】
弾性を有する帯状体で、その長さ方向の両端からその帯状体中心部に向かう左巻と右巻の渦巻形状を有し、両端の渦巻形状部の張り出しと同一面上の一部を渦巻形状部の張り出しと平行に引き、湾曲形状を形成し、渦巻形状部より内側であり、湾曲形状部の両端で渦巻形状部の張り出しの無い面上の一部を合わせ閉じた部分に、可動留め具を具備することにより、非結束体結帯部が形成され、可動留め具を動かすことにより帯状体の長さを調整すると同時に、帯状体余部を渦巻状に巻き込むことを特徴とする結束構造具。
(57)【要約】      （修正有）【課題】少しの練習で、帯の前結びが簡単にできる帯具を提供する。【解決手段】布製仮紐巾３〜６ｃｍ、全長１３０ｃｍ〜１８０ｃｍの中央部を３５ｃｍ〜６５ｃｍゴムシャーリングにし、この仮紐を身体に巻いた時、ゴムシャーリングの端がおおよそ身体左右の半分程度にくる様にしたことを特徴とする。【選択図】図１
0003169467.tif 000002
【実用新案登録請求の範囲】
【請求項１】
布製仮紐の中央部にゴムシャーリングを有することを特徴とするリンカ式ゴム仮紐。
【請求項２】
布製仮紐巾３〜６ｃｍ、全長１３０ｃｍ〜１８０ｃｍの中央部を３５ｃｍ〜６５ｃｍゴムシャーリングにしたことを特徴とする請求項１に記載のリンカ式ゴム仮紐。
【考案の詳細な説明】
【技術分野】
【０００１】  この考案は、各種帯結びを行う際の帯具に関する。
【背景技術】
【０００２】  この種の前、前結び帯具としては例えば実開平６ー２０４２６号広報に記載されている物がある。
【先行技術文献】
【特許文献】
【０００３】
【特許文献１】  実開平６ー２０４２６号
【考案の概要】
【考案が解決しようとする課題】
【０００４】  少しの練習で、帯の前結びが簡単にできる帯具を提供する事を目的とする。帯の前結びの際には、帯の手先を身体の背後でクリップ止めにするが、見えない場所でのクリップ止めの難易さ及び、老人では背後に手を回して作業することが出来ずらい事から、この帯の手先作業を身体の右横でこれをしようとすると、布製の腰紐では、帯の手先を引き出す作業時、紐の弾力不足のため、手先を抜きずらく、また帯の手先を身体の右横で止め難いという欠点があった。
【課題を解決するための手段】
【０００５】  この考案は前記した各問題を解決するために、布製仮紐巾３〜６ｃｍ、全長１３０ｃｍ〜１８０ｃｍの中央部を３５ｃｍ〜６５ｃｍゴムシャーリングにし、この仮紐を身体に巻いた時、ゴムシャーリングの端がおおよそ身体左右の半分程度に来る様にしたことを特徴とする。
【考案の効果】
【０００６】  仮紐が身体の前半分がゴム製になったため、帯の手先作業時、安易に帯の手先を引き出す事が出来、この手先をゴムの弾力性で身体の右横に挟むことにより、帯の手先作業のため、身体の背後で帯の手先をクリップ止めしなくて済む様になった。
お太鼓を身体正面で作る時に仮紐に垂れ部分を絡める際、ゴムの硬度でたれ部分を絡めやすくなった。
【図面の簡単な説明】
【０００７】
【図１】図１はリンカ式仮紐の平面図
【図２】図２は立面図
【図３】図３はリンカ式仮紐を帯の上に巻いたときのゴムシャーリングの状態
【図４】実施例の参照図
【図５】実施例の参照図
【図６】実施例の参照図
【図７】実施例の参照図
【図８】実施例の参照図
【図９】実施例の参照図
【図１０】実施例の参照図
【図１１】実施例の参照図
【図１２】実施例の参照図
【図１３】実施例の参照図
【図１４】実施例の参照図
【図１５】実施例の参照図
【図１６】実施例の参照図
【図１７】実施例の参照図
【図１８】実施例の参照図
【図１９】実施例の参照図
【図２０】実施例の参照図
【図２１】実施例の参照図
【図２２】実施例の参照図
【図２３】実施例の参照図
【実施例】
【０００８】  実施例について図面を参照して説明する。
このベルトを使用して、前結びをする手順を図で示すと
図４において帯板を巻いた状態で、手先を右肩に掛け、身体正面で帯の上を一カ所クリップで留め、帯を身体に一周帯を巻き、帯を締め、もう一周帯を身体に巻き、２周目が身体の左脇に来たところで、先に止めていたクリップを外し、左下で帯を挟み帯を止める。
次に図５において先の手先を左手に持って帯を抜く。
次に図６において手先を帯に沿って右にはわし、図４で留めていたクリップを外して、身体正面で帯の上側を止める。
次に図７において帯のたれ側を三角に折る。
次に図８においてリンカベルトを身体の背後で止める
次に図９において身体正面で止めていたクリップを外し、三角に織り上げたたれ部分の下側をクリップで止める。
次に図１０において帯のお太鼓を作るために、帯枕を身体正面に持ってきて身体の背後で結ぶ。
次に図１１においてたれを左肩に上げ、帯のあまりを整える。
次に図１２において余ったたれ元を折りたたみ、考案のリンカベルトでこれを止める。
次に図１３においてリンカ式仮紐を帯の下線に合わせる。
次に図１４において身体の正面でたれをこの仮紐に絡めて、お太鼓の形を作る。
次に図１５においてリンカ式ゴム仮紐を背後で結ぶ。
次に図１６においてクリップにより、身体右側で止めていた手先を引き、抜き取る。
次に図１７において手先をお太鼓の中に入れる。
次に図１８においてリンカベルトを外す。
次に図１９において帯締めを締める。
次に図２０において帯を回しお太鼓を後ろにする。
次に図２１において帯枕を外して締め直す。
次に図２２において帯枕の紐を帯の内側に入れる。
次に図２３においてリンカ式ゴム仮紐を外す。
【産業上の利用可能性】
【０００９】  総ての帯結びに利用可能である。
【符号の説明】
【００１０】１、布
２、ゴムシャーリング
３、クリップ
４、手先
５、たれ
６、帯枕
７、リンカベルト
８、リンカ式ゴム仮紐
９、帯締め
【図１】
0003169467.tif 000003
【図２】
0003169467.tif 000004
【図３】
0003169467.tif 000005
【図４】
0003169467.tif 000006
【図５】
0003169467.tif 000007
【図６】
0003169467.tif 000008
【図７】
0003169467.tif 000009
【図８】
0003169467.tif 000010
【図９】
0003169467.tif 000011
【図１０】
0003169467.tif 000012
【図１１】
0003169467.tif 000013
【図１２】
0003169467.tif 000014
【図１３】
0003169467.tif 000015
【図１４】
0003169467.tif 000016
【図１５】
0003169467.tif 000017
【図１６】
0003169467.tif 000018
【図１７】
0003169467.tif 000019
【図１８】
0003169467.tif 000020
【図１９】
0003169467.tif 000021
【図２０】
0003169467.tif 000022
【図２１】
0003169467.tif 000023
【図２２】
0003169467.tif 000024
【図２３】
0003169467.tif 000025
(57)【要約】      （修正有）【課題】外気温に適応する繊維を提供する。【解決手段】温度応答性分子を組合せ、繊維に染着、付着させる。【選択図】図１
0003169464.tif 000002
【実用新案登録請求の範囲】
【請求項１】
冬場、夏場の寒さ、暑さ対策に外気温に適応して特定の基準の温度以下、以上に温度が達すると温熱、冷熱を発現して冬は暖かく、冷たくなる繊維
【考案の詳細な説明】
【技術分野】
【０００１】  本考案は、外気温に適応して温熱冷熱を機能発現する繊維に関するものである。
【背景技術】
【０００２】  現在の衣料素材において、冬は保温性、夏は清涼性などの繊維素材はありましたが、冬の温熱感や夏の冷熱感を機能発現する衣料素材の繊維は存在していない。
【考案の開示】
【考案が解決しようとする課題】
【０００３】  冬場の寒さ、夏場の暑さを防ぐ対策として冬は温熱、夏は冷熱を機能発現する繊維素材で快適に冬場、夏場を過ごすことが可能になり前述の欠点を解決しようとするものである。
【課題を解決するための手段】
【０００４】  本考案は、冬の低温、夏の高温の外気温に適応して冬は温熱夏は冷熱を力学的、熱学的、電気的、磁気的、光学的、化学的などの作用又分子構造の設計や架橋などで構造の変化結晶、非晶、液晶などの相変化によって得た新物質を繊維と結合し機能発現する事により問題点を解決している。
【考案の効果】
【０００５】  上述の様に本考案の温度適応温熱，冷熱繊維は繊維本体に外気温に適応して温熱，冷熱を機能発現する新物質が結合されているので冬の寒さ，夏の暑さを従来よりも防ぐ事が出来るので健康にも室内での省エネにも役立つ。
【考案の実施するための最良の形熊】
【０００６】  繊維本体に冬の低温，夏の高温の外気温に適応して温熱，冷熱を分子設計、化学反応で自発的に機能発現する新物質を染色や仕上げ工程，コーティングの高次加工の工程で繊維と結合する。
【実施例】
【０００７】  以下、添図面に従って一実施例を説明する。Ｉは繊維本体，２は外気温に適応して温熱，冷熱を自発的に機能発現する新物質。【０００８】  本考案の一実施例は上述の如き構成からなるものである。
【図面の簡単な説明】
【０００９】
【図１】本考案の温度適応温熱，冷熱繊維の一実施例を示す正面図である。
【符合の説明】
【００１０】  １  繊維本体
２  新物質
【図１】
0003169464.tif 000003
【手続補正書】
【提出日】平成22年6月23日(2010.6.23)
【手続補正１】
【補正対象書類名】実用新案登録請求の範囲
【補正対象項目名】全文
【補正方法】変更
【補正の内容】
【実用新案登録請求の範囲】
【請求項１】
繊維本体に冬の低温、夏の高温の外気温に適応して冬は温熱、夏は冷熱を化学物質の窒素系類、アルカリ系類を力学的、熱学的、電気的、磁気的、光学的、化学的などの作用又分子構造の設計や架橋などで構造の変化、結晶、液晶などの相変化によって得た新化学物質を綱状の繊維と結合し機能発現する繊維．
【手続補正書】
【提出日】平成22年9月21日(2010.9.21)
【手続補正１】
【補正対象書類名】実用新案登録請求の範囲
【補正対象項目名】全文
【補正方法】変更
【補正の内容】
【実用新案登録請求の範囲】
【請求項１】
冬、夏の防寒、防暑対策に外気温の温度に適応して冬は温熱、夏は冷熱を機能発現する化合成分を窒素系類、アルカリ系類の化学物質を化学テクノロジーを用して作り出し液体化させて綱状の繊維に染色や高次加工の工程で吹着又は染み込ませて冬は温熱、夏は冷熱を外気温の温度に適応して機能発現する温度適応、温熱、冷熱繊維
【手続補正書】
【提出日】平成23年1月28日(2011.1.28)
【手続補正１】
【補正対象書類名】実用新案登録請求の範囲
【補正対象項目名】全文
【補正方法】変更
【補正の内容】
【実用新案登録請求の範囲】
【請求項１】
冬場の寒さ，夏場の暑さ対策に外気温に対して一定の基準の温度に適応して温熱，冷熱を機能発現する化学的性質の化学物質を周期表に基づいて元素を構成、組み合せて綱状の繊維に染色，又は高次加工の工程において吸着，吹着，付着させ外気温に適応して温熱，冷熱を機能発現する繊維
【手続補正書】
【提出日】平成23年5月11日(2011.5.11)
【手続補正１】
【補正対象書類名】実用新案登録請求の範囲
【補正対象項目名】全文
【補正方法】変更
【補正の内容】
【実用新案登録請求の範囲】
【請求項１】
冬の寒さ対策，夏の暑さ対策に外気温に適応して基準の寒さ，暑さの温度に対して冬の寒さには温熱，夏の暑さには冷熱を機能発現する化学物質を温度応答性分子ポリＮイソプロピルアクリルアミド分子等の熱で性質の変わる分子を利用し組み合わせ，温度の変化だけで目的の物質を取り出し糸状の繊維に染色，や高次加工の工程の中で染着，付着させ外気温に適応して温熱，冷熱を機能発現する繊維
(57)【要約】      （修正有）【課題】作業のしやすい高さ、安全で簡潔な構造で作業性の良い、コンパクトな炒る装置を提供する。【解決手段】各種豆、おかき、栗などを炒るのに昔ながらの平鍋で行うのは燃料が無駄で作業も手間どり不便で大変である。この点を解消するために、取り扱い容易なプロパンガスを使用しカバーで被い燃費を節約し、また手間を出来るだけ少なくするためモーターで回転し均一な炒り方が出来るようにした。【選択図】図１
0003169470.tif 000002
【実用新案登録請求の範囲】
【請求項１】
キャスター付きの架台に燃焼部と上部に回転部のある本体をカバーで被い燃焼を効率よくし、モーターの回転をＶベルトで回転体に伝え物を炒る、出し入れは本体を上下に傾けて固定して行う為の装置。
【考案の詳細な説明】
【技術分野】
【０００１】本考案は各種豆、おかき、栗などを炒るのに便利な装置を提供
【背景技術】
【０００２】昔から豆を炒ったり、おかき、栗を焼いたり、ご飯の残りを炒ったりは薪を燃やし平鍋に豆、おかき、などを入れ混ぜながら適当に炒ってました。現代も同じ様ですが安全で便利な方法はと考えました。
【先行技術文献】
【特許文献】
【０００３】特許庁の公報、文献で先行がないか調べましたが見当たりませんでした。
【特許文献１】特許、実案公報で調査
【特許文献２】同じ
【非特許文献】
【０００４】
【非特許文献１】
【非特許文献２】
【考案の概要】
【考案が解決しようとする課題】
【０００５】火気に薪を使用するのは殆どなくまあガスコンロ程度と考えられるが、熱効率や手間、危険性などを考えました。特に手間の点で下に燃焼室その上に電動で回転する容器を設け炒るものを入れる、全体をカバーで被い、熱を効率よくすると同時に安全を考慮した。中小商業的には価値のあるものと思います。
【課題を解決するための手段】
【０００６】上記のようなわけで、まず安全、燃費節約、能率、操作性などから別図のような形になりました。
【考案の効果】
【０００７】近年は一般家庭では上記のような、炒ると言う事は少なくなっていると思われますが中小業的には多いように思われキッと喜ばれるでしょう。
【図面の簡単な説明】
【０００８】キャスター付きの架台に炒るものを出し入れするのに傾けられる本体、下にプロパンバーナー、直ぐ上に炒るものを入れた回転体をモーターで回し全体を熱効率と安全の為にカバーした構造です。
【図１】全体図で正面、側面、裏面の図です。
【考案を実施するための形態】
【０００９】図１に示すように最小限の大きさとし、作業のしやすい高さ、安全で簡潔な構造で作業性の良い、無駄のないコンパクトなものに集約しました。
【実施例】
【００１０】図に示すように一方固定片方自在のキャスターつきで何処にでも自由に移動できる架台の中央の両側に本体を受ける立ち上がりを設け上下に傾けられるスプロケットを天場に取り付け本体を上下に傾けたとき作業し易い角度で固定する止め具を設ける。品物を出し入れ後は水平にし固定、プロパンを燃焼点火、上部の回転体をモーター駆動で回し者を炒る、出来上がり後回転体の片方の蓋を開け取り出す作業の繰り返しです。
【産業上の利用可能性】
【００１１】きな粉が人気です又黒豆茶そらまめ南京豆も、皆さん平鍋で昔通りの方法で炒っておられるようです、喜ばれるものと楽しみにしています。
【符号の説明】
【００１２】▲１▼  キャスター固定と片方は自在
▲２▼  花台
▲３▼  上下傾け用スプロケット
▲４▼  加熱部と回転体の本体
▲５▼  本体角度固定具
▲６▼  カバー
▲７▼  モーター
▲８▼  プロパンのバーナー
▲９▼  回転体受け重量車
▲１０▼  回転体蓋
【図１】
0003169470.tif 000003
【手続補正書】
【提出日】平成23年5月9日(2011.5.9)
【手続補正１】
【補正対象書類名】実用新案登録請求の範囲
【補正対象項目名】全文
【補正方法】変更
【補正の内容】
【実用新案登録請求の範囲】
【請求項１】
移動可能にする自在キャスター▲１▼を架台▲２▼の下枠の四隅に取り付け、長方形架台の長い方の中間にコの字の形の立ち上りを両側に取り付け、その立ち上りの天場にスプロケット▲３▼を取り付けて本体▲４▼を上下の適当な角度に傾けてとめ具▲５▼で固定、本体は下部の四角い加熱室と上部の丸い回転部のカバーからなり一体である、上部のまるい部分に炒る物を入れる円筒形の回転体の片方は上部の丸いカバー位のドーナツ形のワッパをつけて、そのワッパを左右の重量車で受け、もう一方の方は全面鉄板を取り付け円筒のセンターに軸を取り付けスプロケットで受けて前後の受けで回転をスムースにさせる、下部のギヤードモーターの回転でＶベルトを介して回転体を回す、回転体のドーナツ形ワッパの内円部分は開閉できる一枚の蓋▲１０▼を蝶番とパッチン錠で塞ぐ、回転体の下部をプロパンバーナーで加熱して豆などを炒る装置である。
(57)【要約】      （修正有）【課題】屋根の上に上がらないで、軒下から離れたところから、屋根の上の雪を掻き降ろし出来る屋根の雪かきスコップを提供する。【解決手段】長さを調整できる柄の先をＪ字型に曲げ、スコップの刃の形状の物に差し込む。【選択図】図１
0003169466.tif 000002
【実用新案登録請求の範囲】
【請求項１】
スコップの刃の形状の物に、長さを調整できる柄の先を、Ｊ字型に曲げた先を、スコップ状の物に、差込んでセットした屋根の雪かきかスコップです。
【考案の詳細な説明】
【技術分野】
【０００１】本考案は、屋根に積もった雪を、軒下から少し離れて、地上から掻き降ろすための、屋根の雪かきスコップの考案です。
【背景技術】
【０００２】近年、屋根の雪かき具が販売されるようになりましたが、いずれも、刃先に上の方向から力が加わる方式の製品は見当たりません。積雪に対し、上方から刃の先に力が加えられるように、刃と柄の角度を同方向になるように、柄の形をＪの字型にした雪かきスコップの考案です。
【考案の開示】
【考案の解決しようとする課題】
【０００３】屋根の上に上がらないで、軒下から離れた地上から、屋根の雪かきを為るための雪かきスコップの考案です。
【課題を解決使用とする課題】
【０００４】スコップの刃先の方向と、柄の方向が同じ方向に向くように、柄の先を、Ｊ字型に曲げたものに、刃先を取り付け、柄を下方から引いて、刃先が少しの力で雪中に刺し、僅かな力で雪を掻き降ろす事が出来ます。
【考案の効果】
【０００５】屋根の上に上がらないで、軒下から離れたところから、屋根の雪下ろしが出来ますし、屋根から掻き下ろした雪が、頭上に落ちることもありませんし、雪下ろし中の事故を防ぐことが出来ます。
【実施例】
【０００６】屋根の上に上がらないで雪下ろしが出来るようになりました。
【図面の簡単な説明】
【０００７】
【図１】スコップ状の刃１にＪ字型に曲げた柄２を取り付けた屋根の雪かきスコップの図です。
【図１】
0003169466.tif 000003
【手続補正書】
【提出日】平成23年3月18日(2011.3.18)
【手続補正１】
【補正対象書類名】実用新案登録請求の範囲
【補正対象項目名】全文
【補正方法】変更
【補正の内容】
【実用新案登録請求の範囲】
【請求項１】
スコップの刃の形状の物に、長さを調整出来る柄の先を、Ｊ字型に曲げた先を、スコップの刃の形状の物に、差し込んでセットした屋根の雪かきスコップです。
【手続補正書】
【提出日】平成23年5月16日(2011.5.16)
【手続補正１】
【補正対象書類名】実用新案登録請求の範囲
【補正対象項目名】全文
【補正方法】変更
【補正の内容】
【実用新案登録請求の範囲】
【請求項１】
長さを調整出来る柄の先を、Ｊ字型に曲げ、スコップの刃の形状の物に差し込んだ屋根の雪かきスコップ。